(57)【要約】    【課題】      Inactive-RAT測定を間欠に実行しながら３ＧＰＰでの規定している一定時間内での測定を保証でき、消費電力の低減を図ること。    【解決手段】  デュアルモード移動電話機１００は、通信系ソフトウェアにより、ＵＭＴＳ／ＧＳＭ通信方式の機能が実現され、Active-RAT側のＬＬ１ソフトウェア１２０は、毎ＤＲＸ周期の間欠受信で用いるＤＲＸ長を付加したメッセージ３００を作成し、毎ＤＲＸ周期に行う間欠受信の着信受信と同期して、作成したメッセージ３００をInactive-RAT側のＬＬ１ソフトウェア１３０にソフトウェア的に送信する。ＬＬ１ソフトウェア１３０は、メッセージ３００に付加されたＤＲＸ長及びメッセージ受信回数をカウントしてＤＲＸ長を加算することで、Active-RAT側のＤＲＸ間隔を単位とする正確な時間管理を行い、間欠測定の制御を行う。  【選択図】      図２
2006319510.tif 000002
【特許請求の範囲】
【請求項１】
単一のハードウェア上で複数の異なる通信方式の機能をソフトウェアで実現する通信端末装置であって、
アクティブ状態にある第１の通信方式の第１通信機能部は、
毎ＤＲＸ周期の間欠受信で用いるＤＲＸ長を付加したメッセージを作成する作成手段と、
毎ＤＲＸ周期に行う間欠受信の着信受信と同期して、非アクティブ状態にある第２の通信方式の第２通信機能部に対し前記メッセージを送るメッセージ送信手段とを備え、
非アクティブ状態にある前記第２通信機能部は、
前記メッセージを受け取るメッセージ受信手段と、
受け取った前記メッセージに付加されたＤＲＸ長及び、該メッセージを受け取る回数を基に、アクティブ状態にある前記第１通信機能部のＤＲＸ間隔を単位とする時間管理を行う管理手段と、
前記管理手段による時間管理結果を用いて間欠測定の制御を行う制御手段と
を備えることを特徴とする通信端末装置。
【請求項２】
単一のハードウェア上で複数の異なる通信方式の機能をソフトウェアで実現する通信端末装置の制御方法であって、
アクティブ状態にある第１通信機能部では、
毎ＤＲＸ周期の間欠受信で用いるＤＲＸ長を付加したメッセージを作成するステップと、
毎ＤＲＸ周期に行う間欠受信の着信受信と同期して、非アクティブ状態にある第２通信機能部に対し前記メッセージを送るステップとを実行し、
非アクティブ状態にある第２通信機能部では、
前記メッセージを受け取るステップと、
受け取った前記メッセージに付加されたＤＲＸ長及び、該メッセージを受け取る回数を基に、アクティブ状態にある前記第１通信機能部のＤＲＸ間隔を単位とする時間管理を行うステップと、
前記時間管理結果を用いて間欠測定の制御を行うステップと
を実行することを特徴とする制御方法。
【発明の詳細な説明】
【技術分野】
【０００１】
本発明は、単一のハードウェア上で複数の異なる通信方式の機能をソフトウェアで実現する通信端末装置及び制御方法に関する。
【背景技術】
【０００２】
一般に、二つ以上のシステムへのアクセスを可能とするマルチモード無線受信装置（例えば、デュアルモード（Dual-Mode）携帯電話やマルチモード携帯電話）では、それぞれの通信方式に対応してそれぞれの方式固有の時間管理を行うシステムタイマーを有している。
【０００３】
異なる無線通信システム間での相互利用を許容するため、サービングセルと、サービングセルとは異なる無線通信システムの隣接セルとの、基準時刻の時間間隔が必要となる場合がある。
【０００４】
異なる無線通信システムである例えば、ＵＭＴＳ（Universal Mobile Telecommuncations System）とＧＳＭ（Global System for Mobile Communications）にアクセス可能なデュアルモード携帯電話においては、ＵＭＴＳセルにアクセス中において、サービングセルの所定の無線フレームタイミングと、隣接するＧＳＭの各セルの所定の無線フレームタイミングとの時間間隔として定義されている値の測定が３ＧＰＰ（３rd Generation Partnership Project）規格において要求されている。なお、所定の無線フレームタイミングとは、該当無線フレームの、例えばスタートタイミングである。
【０００５】
一般に、異なるシステムにおいては物理フォーマットや変調方式が異なり、またシステム間非同期である。そのため、デュアルモード携帯電話の送受信装置は、基本的にそれぞれ一方のシステムに対応する送受信装置を組み合わせた構成を取るのが容易である。
【０００６】
このようなデュアルモード携帯電話で上記の時点間隔の測定を行う受信装置として、従来は、特許文献１に示すように、この時点間隔の測定を目的とするカウンタを追加するよう構成されていた。
【０００７】
図４は、従来の受信装置の構成図である。図４において、ＵＭＴＳ下位プロトコルスタック層１１はＵＭＴＳの無線フレームタイミングを測定し、ＧＳＭ下位プロトコルスタック層１２はＧＳＭの無線フレームタイミングを測定する。また、上位プロトコルスタック層１３はＵＭＴＳ及びＧＳＭを含む。カウンタ１４は、制御レジスタ１５からの制御の下で、ＵＭＴＳ下位プロトコルスタック層１１及びＧＳＭ下位プロトコルスタック層１２からのフレーム割り込み信号によって起動及び停止される。例えば、前述の３ＧＰＰ規格で要求される時間間隔を測定する場合、カウンタ１４はＵＭＴＳフレーム割り込み信号によって起動され、ＧＳＭフレーム割り込み信号によって停止される。このとき、停止された時点でのカウンタ１４のカウンタ値と、カウンタ１４を起動時及び停止時におけるフレーム番号を用いて、所望の時間間隔を導出することが可能である。
【０００８】
現状では、第３世代移動体通信の標準化においても、セルラーネットワークサービスと、ホットスポットサービスの両方をサポートするデュアルモード端末装置を実現化する検討が進められている（例えば、非特許文献１参照）。
【０００９】
デュアルモードモバイルシステムは、移動電話機に２つのＲＡＴ（Radio Access Technology）を対応させることにより、ＲＡＴ間のモビリティを実現目的とするシステムである。デュアルモードモバイルシステムでは、移動電話機の待ち受け先、又は通信先のＲＡＴをActive-RATと呼び、そうではないＲＡＴをInactive-RATと呼ぶ。デュアルモードモバイルシステムに用いるデュアルモード移動電話機において、Active-RAT側における通信確立は勿論、測定以外にもInactive-RAT側の測定を実現することが要求されている。
【００１０】
Inactive-RATの測定は、Active-RAT以外のＲＡＴのセル電波品質や、セルの報知情報の受信を予め行い、特定な契機で円滑にInactive-RAT側にチャンプ・オン（Camp On）することを可能にすることを目的としている。なお、このInactive-RAT測定が実行できる時間はActive-RAT側が使用していない時間であり、その時間を基地局送信休止区間（以下、ＧＡＰという）と呼ぶ。したがって、Active-RATとInactive-RAT間では、ＧＡＰの送受信をする必要がある。Active-RATがＤＲＸ（Discontinuous Reception：間欠受信）を行う際、各ＤＲＸ周期での着信受信や自セル、周辺セルの測定完了後から次のＤＲＸ周期までの時間をＧＡＰとしてInactive-RAT側に送信し、Inactive-RAT側は測定をＧＡＰ内で実行する。
【００１１】
このInactive-RAT（ＧＳＭ、ＵＴＭＴＳ（ＦＤＤ、ＴＤＤ）など）測定に関して、各ＲＡＴの種別に準じて３ＧＰＰで、一定時間内に測定を完了し、その測定を間欠に繰り返すことが仕様として明記されている（例えば、非特許文献２参照）。但し、その実装方法はメーカ依存である。
【特許文献１】特開２００３−３０９８７０号公報
【非特許文献１】3GPP TS 25.133（Release 1999）, 4.2.2.7 Maximum interruption in paging reception, Table 4.1
【非特許文献２】3GPP TS 05.08 (Release 1999) , 6.Idle Mode Tasks
【発明の開示】
【発明が解決しようとする課題】
【００１２】
しかしながら、このような従来のデュアルモード移動電話機にあっては、３ＧＰＰで規定している一定時間内でのInactive-RAT測定を保証できないという問題がある。また、一方の移動電話機から他方の移動電話機に切り替える際の切替タイミング算出のためにカウンタや制御レジスタといったハードウェアを設ける必要があり、回路規模及び消費電力が増大するという問題がある。
【００１３】
すなわち、デュアルモード移動電話機において、Active-RAT側から送信される全ＧＡＰを測定に使用するようにすれば、３ＧＰＰでの規定している一定時間内での測定が保証されるものの、測定の実行時間が長くなることで、ハードウェアの動作時間が長くなり、デュアルモード移動電話機における消費電力が高くなる。一方、Inactive-RAT側でＧＡＰを受信するたびにＧＡＰ内での時刻が把握できるため、Inactive-RAT測定が間欠に実行できることで消費電力を抑えることが可能になるが、実際にはInactive-RAT側ではＧＡＰがどのくらいの時間間隔で送信されるか、又はＧＡＰ長が測定に十分な長さであるか、要するにどのくらいの時間なのかが予測できないため、３ＧＰＰでの規定している一定時間内での測定が保証できない場合が生じる。
【００１４】
本発明はかかる点に鑑みてなされたもので、Inactive-RAT測定を間欠に実行しながら３ＧＰＰでの規定している一定時間内での測定を保証でき、消費電力の低減を図ることができる通信端末装置及び制御方法を提供することを目的とする。
【課題を解決するための手段】
【００１５】
本発明の通信端末装置は、単一のハードウェア上で複数の異なる通信方式の機能をソフトウェアで実現する通信端末装置であって、アクティブ状態にある第１の通信方式の第１通信機能部は、毎ＤＲＸ周期の間欠受信で用いるＤＲＸ長を付加したメッセージを作成する作成手段と、毎ＤＲＸ周期に行う間欠受信の着信受信と同期して、非アクティブ状態にある第２の通信方式の第２通信機能部に対し前記メッセージを送るメッセージ送信手段とを備え、非アクティブ状態にある前記第２通信機能部は、前記メッセージを受け取るメッセージ受信手段と、受け取った前記メッセージに付加されたＤＲＸ長及び、該メッセージを受け取る回数を基に、アクティブ状態にある前記第１通信機能部のＤＲＸ間隔を単位とする時間管理を行う管理手段と、前記管理手段による時間管理結果を用いて間欠測定の制御を行う制御手段とを備える構成を採る。
【００１６】
本発明の制御方法は、単一のハードウェア上で複数の異なる通信方式の機能をソフトウェアで実現する通信端末装置の制御方法であって、アクティブ状態にある第１通信機能部では、毎ＤＲＸ周期の間欠受信で用いるＤＲＸ長を付加したメッセージを作成するステップと、毎ＤＲＸ周期に行う間欠受信の着信受信と同期して、非アクティブ状態にある第２通信機能部に対し前記メッセージを送るステップとを実行し、非アクティブ状態にある第２通信機能部では、前記メッセージを受け取るステップと、受け取った前記メッセージに付加されたＤＲＸ長及び、該メッセージを受け取る回数を基に、アクティブ状態にある前記第１通信機能部のＤＲＸ間隔を単位とする時間管理を行うステップと、前記時間管理結果を用いて間欠測定の制御を行うステップとを実行する。
【発明の効果】
【００１７】
本発明によれば、Inactive-RAT測定を間欠に実行できることで消費電力の低減を図りつつ、３ＧＰＰで規定している一定時間内でのInactive-RAT測定を保証することができる。
【発明を実施するための最良の形態】
【００１８】
以下、本発明の一実施の形態について、図面を参照して詳細に説明する。
【００１９】
図１は、本発明の本実施の形態に係る通信端末装置の構成を示すブロック図である。本実施の形態は、通信端末装置をデュアルモード移動電話機に適用した例である。
【００２０】
図１において、デュアルモード移動電話機１００は、通信手順制御部１１０Ａ、ＵＭＴＳ無線通信部１２０Ａ、ＧＳＭ無線通信部１３０Ａ、及びハードウェア制御部１４０Ａからなり、すべてデュアルモード移動電話機における通信系ソフトウェアにより構成される。
【００２１】
通信手順制御部１１０Ａは、デュアルモード通信手順制御機能を提供するDual-Protocol Stackソフトウェア１１０である。
【００２２】
ＵＭＴＳ無線通信部１２０Ａは、ＵＭＴＳ方式でRadio SignalのReassembleや、Radio Resourceの検出、Radio Channelの設定などの機能を提供し、Dual-Protocol Stackソフトウェア１１０とのインタフェースの役割を果たすLogical Layer 1（ＬＬ１）ソフトウェア１２０である。
【００２３】
ＧＳＭ無線通信部１３０Ａは、ＧＳＭ方式でRadio SignalのReassembleや、Radio Resourceの検出、Radio Channelの設定などの機能を提供し、Dual-Protocol Stackソフトウェア１１０とのインタフェースの役割を果たすLogical Layer 1（ＬＬ１）ソフトウェア１３０である。
【００２４】
ハードウェア制御部１４０Ａは、ＵＭＴＳ無線通信部１２０Ａ及びＧＳＭ無線通信部１３０ＡのLogical Layer 1ソフトウェア１２０，１３０とハードウェア制御の役割を果たすLayer 1（Ｌ１）ソフトウェア１４０である。
【００２５】
以下、上述のように構成された通信端末装置の動作について説明する。
【００２６】
デュアルモード移動電話機１００は、ＵＭＴＳ無線通信部１２０ＡとＧＳＭ無線通信部１３０Ａの２つのＲＡＴを持つ。２つのＲＡＴのうちActive-RATは、デュアルモード移動電話機１００の待ち受け先、又は通信先のＲＡＴなどのアクティブ状態の通信機能部であり、Inactive-RATは、Active-RATに対して非アクティブ状態の通信機能部である。Active-RATでは、Active-RAT側における通信確立は勿論、測定以外にもInactive-RAT側の測定を実現することが要求されている。Inactive-RATの測定は、Active-RAT以外のＲＡＴのセル電波品質や、セルの報知情報の受信を予め行い、特定な契機で円滑にInactive-RAT側にチャンプ・オンする必要がある。
【００２７】
本実施の形態は、Inactive-RATが、Active-RATに切り替わった際に正常動作が行えるようInactive-RAT側で正確な時間測定を行えるようにするものである。
【００２８】
いま、ＵＭＴＳ無線通信部１２０ＡがActive-RAT側にあり、ＧＳＭ無線通信部１３０ＡがInactive-RAT側にある場合を例に採る。ＵＭＴＳ無線通信部１２０Ａ及びＧＳＭ無線通信部１３０Ａの通信機能は、ソフトウェアで実現されているため、ソフトウェアから見ると、ＬＬ１ソフトウェア１２０がActive-RAT側、ＬＬ１ソフトウェア１３０がInactive-RAT側となる。
【００２９】
ＬＬ１ソフトウェア１２０は、毎ＤＲＸ周期の間欠受信で用いるＤＲＸ長を付加したメッセージを作成する作成手段１２１と、毎ＤＲＸ周期に行う間欠受信の着信受信と同期して、非アクティブ状態にあるＬＬ１ソフトウェア１３０に対しメッセージを送るメッセージ送信手段１２２とを有する。また、ＬＬ１ソフトウェア１３０は、メッセージを受け取るメッセージ受信手段１３１と、受け取ったメッセージに付加されたＤＲＸ長及び、該メッセージを受け取る回数を基に、アクティブ状態にあるＬＬ１ソフトウェア１２０のＤＲＸ間隔を単位とする時間管理を行う管理手段１３２と、管理手段１３２による時間管理結果を用いて間欠測定の制御を行う制御手段１３３とを有する。
【００３０】
Inactive-RAT側の測定の実施プロセスとして、まず、Dual-Protocol Stackソフトウェア１１０が、両ＲＡＴのＬＬ１ソフトウェア１２０，１３０に対して測定に関するメッセージ（命令）を発行し、そのメッセージの実行内容に従って、ＬＬ１ソフトウェア１２０，１３０はチャネルの状態遷移、Open/Close制御、測定のスケジュールなどを制御する。
【００３１】
ＬＬ１ソフトウェア１２０，１３０は、ハードウェアを制御するＬ１ソフトウェア１４０にメッセージを発行する。
【００３２】
そのメッセージを受けたＬ１ソフトウェア１４０はハードウェア（図示略）に測定に必要な測定命令（コマンド）を発行し、ハードウェアからの測定返答（測定結果）をＬＬ１ソフトウェア１２０，１３０に経由して、Dual-Protocol Stackソフトウェア１１０に報告する。
【００３３】
ＬＬ１ソフトウェア１２０，１３０は、異なるＲＡＴ毎に存在する構成である。よって、それぞれのＲＡＴにおける測定結果は、それぞれのＬＬ１ソフトウェア１２０，１３０を経由して、Dual-Protocol Stackソフトウェア１１０に報告される。ＬＬ１ソフトウェア１２０，１３０は、ハードウェア側からのフレーム割り込み信号などの割り込み信号を管轄するため、各ＲＡＴ側のカウンタによって、正確な時刻（ＤＲＸ開始時刻など）を把握できる。また、異なるＲＡＴのＬＬ１ソフトウェア１２０，１３０間においても、ＧＡＰなどの送受信機能を可能にするために、互いにインタフェース機能が実装されている。これにより、Active-RAT側のＬＬ１ソフトウェア１２０は、間欠受信を行う際、各ＤＲＸ（間欠受信）周期での着信受信や自セル、周辺セルの測定完了後から次のＤＲＸ開始時刻までの時間をＧＡＰとしてInactive-RAT側のＬＬ１ソフトウェア１３０に送信することができる。
【００３４】
図２は、間欠受信の着信受信と同期して、Active-RAT側のＬＬ１ソフトウェア１２０からInactive-RAT側のＬＬ１ソフトウェア１３０にメッセージ３００を送信するメッセージ送信制御シーケンスを示す図である。
【００３５】
図２に示すように、Active-RAT側のＬＬ１ソフトウェア１２０は、各ＤＲＸ周期に必ず着信受信（Paging受信）２０１を行う。そして、Active-RAT側での毎ＤＲＸ周期に行う間欠受信の着信受信２０１と同期して、Active-RAT側のＬＬ１ソフトウェア１２０からInactive-RAT側のＬＬ１ソフトウェア１３０に、Active-RAT側での着信受信を意味するメッセージを送信する（番号２０２参照）。すなわち、Active-RAT側のＬＬ１ソフトウェア１２０は、着信受信（Paging受信）すると同時にInactive-RAT側のＬＬ１ソフトウェア１３０に着信受信を意味するメッセージを送信する。Active-RAT側のＬＬ１ソフトウェア１２０からInactive-RAT側のＬＬ１ソフトウェア１３０へのメッセージ送信は、ソフトウェア的に行われるので、Inactive-RAT側のＬＬ１ソフトウェア１３０は、Active-RAT側のＤＲＸ周期毎に着信受信を意味するメッセージを欠かさずに受信することができる。
【００３６】
図３は、Active-RAT側のＬＬ１ソフトウェア１２０からInactive-RAT側のＬＬ１ソフトウェア１３０に送信する着信受信を意味するメッセージ３００の情報構成を示す図である。図３において、メッセージ３００は、Active-RAT側での着信受信を意味するメッセージを表すヘッダ部３０１と、Active-RAT側のＤＲＸ長を表すＤＲＸ情報部３０２とから構成され、Active-RAT側の現ＤＲＸ長情報が付加されている。
【００３７】
図２に戻って、Active-RAT側のＬＬ１ソフトウェア１２０は、上記メッセージ３００をInactive-RAT側のＬＬ１ソフトウェア１３０に送信する際、Active-RAT側での現ＤＲＸ長をＤＲＸ情報部３０２に付加して送信する。
【００３８】
Inactive-RAT側のＬＬ１ソフトウェア１３０では、メッセージ３００を受信することで、ＤＲＸ情報部３０２のＤＲＸ長を認識し、次回のメッセージ３００を受信するまでの時間がＤＲＸ長であることを認識する。Inactive-RAT側のＬＬ１ソフトウェア１３０はまた、Active-RAT側のＤＲＸ間隔を単位とする正確な時間管理を行う。より詳細には、Inactive-RAT側のＬＬ１ソフトウェア１３０は、毎回Active-RAT側のＬＬ１ソフトウェア１２０から送信される着信受信を意味するメッセージ３００を受信し、受信したメッセージ３００内のＤＲＸ情報部３０２のＤＲＸ長を加算することで、ＤＲＸ長を単位とする正確な時間管理が可能になる。
【００３９】
Inactive-RAT側のＬＬ１ソフトウェア１３０での正確な時間管理を用いて、Inactive-RAT側の間欠測定の制御を行う。Inactive-RAT側のＬＬ１ソフトウェア１３０は、測定用タイマーを有し、このタイマーによって各種類別の測定を行う。上述した時間管理により、各種別の測定のタイマーが設定時間に到達すれば、その測定を行うためのコマンドをＬ１ソフトウェア１４０に発行し、Ｌ１ソフトウェア１４０によりハードウェアでの測定を開始する。一例として、Active-RAT側のＤＲＸ長が１秒で、Inactive-RAT側のある測定が少なくとも５秒周期で１回行う必要がある３ＧＰＰの規定であれば、Inactive-RAT側のＬＬ１ソフトウェア１３０は着信受信を意味するメッセージを受信するたびに、時間管理を行い、測定のタイマーが到達したか否かを判断する。したがって、Inactive-RAT側のＬＬ１ソフトウェア１３０は、着信受信を意味するメッセージを５回受信後の、Active-RAT側のＬＬ１ソフトウェア１２０から送信されるＧＡＰを利用し、該当測定を行うことになる。
【００４０】
Inactive-RAT側の各種別測定のタイマーの設定値をActive-RAT側のＤＲＸ長に従って、変動するように構成すれば３ＧＰＰでの規定である一定時間内での測定の保証性を高めることも可能になる。
【００４１】
このように、本実施の形態によれば、デュアルモード移動電話機１００は、Dual-Protocol Stackソフトウェア１１０、ＬＬ１ソフトウェア１２０，１３０、及びＬ１ソフトウェア１４０の通信系ソフトウェアにより、ＵＭＴＳ／ＧＳＭ通信方式の機能が実現され、Active-RAT側のＬＬ１ソフトウェア１２０は、毎ＤＲＸ周期の間欠受信で用いるＤＲＸ長を付加したメッセージ３００を作成し、毎ＤＲＸ周期に行う間欠受信の着信受信と同期して、作成したメッセージ３００をInactive-RAT側のＬＬ１ソフトウェア１３０にソフトウェア的に送信する。Inactive-RAT側のＬＬ１ソフトウェア１３０は、メッセージ３００に付加されたＤＲＸ長及びメッセージ受信回数をカウントしてＤＲＸ長を加算することで、Active-RAT側のＤＲＸ間隔を単位とする正確な時間管理を行い、間欠測定の制御を行うので、Inactive-RAT測定を間欠に実行しながら３ＧＰＰでの規定している一定時間内での測定を保証でき、消費電力の低減を図ることができる。
【００４２】
すなわち、一般にデュアルモード移動電話機では、Active-RAT側に切り替えられた場合の切替タイミング算出のために、Inactive-RAT側においてもＧＡＰがどのくらいの時間間隔で送信されるか、又はＧＡＰ長が測定に十分な長さであるかなど時間測定が保証されなくてはならない。このため、従来例では、Inactive-RAT側でありながらActive-RAT側から送信される全ＧＡＰを測定に使用するなど、測定動作を常時続けていたため消費電力は高くなっていた。あるいは、切替タイミング算出のためにカウンタや制御レジスタといったハードウェアを別途設けていたため、回路規模及び消費電力が増大していた。これに対して、本実施の形態では、Active-RAT側においては必ず毎ＤＲＸ周期に間欠受信の着信受信（Paging受信）が行われていることに着目し、この毎ＤＲＸ周期及びＤＲＸ長を測定時間計測のためのスケーリングとして活用する。Active-RAT側は、毎ＤＲＸ周期に行う間欠受信の着信受信と同期して、ＤＲＸ長を付加したメッセージ３００をInactive-RAT側にソフトウェア的に送信し、Inactive-RAT側は、メッセージ３００に付加されたＤＲＸ長及びメッセージ受信回数をカウントしてＤＲＸ長を加算することで、Active-RAT側のＤＲＸ間隔を単位とする正確な時間管理を行う。メッセージ３００はソフトウェア的に送信され、またカウント及び測定時間の計算もソフトウェアで行われるため、カウンタや制御レジスタといったハードウェアは不要であり、回路規模及び消費電力を増大させることなく、３ＧＰＰでの規定している一定時間内での測定を保証できる。
【００４３】
また、本実施の形態によれば、通信系ソフトウェアの内容を変更するのみで実現することができ、基地局装置及び制御局装置など既存の無線通信システムに変更を加える必要がない。
【００４４】
以上の説明は本発明の好適な実施の形態の例証であり、本発明の範囲はこれに限定されることはない。
【００４５】
本実施の形態では、Active-RAT側をＵＭＴＳ無線通信部１２０Ａ（ＬＬ１ソフトウェア１２０）に、Inactive-RAT側をＧＳＭ無線通信部１３０Ａ（ＬＬ１ソフトウェア１３０）である場合を例に採り説明したが、Active-RAT側がＧＳＭ無線通信部１３０Ａ（ＬＬ１ソフトウェア１３０）、Inactive-RAT側がＵＭＴＳ無線通信部１２０Ａ（ＬＬ１ソフトウェア１２０）であっても同様の通信制御を行うことができ、同様の効果を得ることができる。
【００４６】
また、本実施の形態では、３ＧＰＰ規格のＵＭＴＳとＧＳＭに対応したデュアルモード移動電話機について説明したが、これは一例であって複数の通信方式による通信を行うものであればどのような装置にも適用可能であり、通信方式の種類・数は限定されない。
【００４７】
また、上記実施の形態では、デュアルモード移動電話機という名称を用いたが、これは説明の便宜上であり、マルチモード無線通信装置、通信端末装置、ＲＡＴ測定スケジューリング方法等でもよいことは勿論である。
【００４８】
また、上記デュアルモード移動電話機を構成する各回路部の種類、数及び接続方法などは前述した実施の形態に限られない。
【産業上の利用可能性】
【００４９】
本発明に係る通信端末装置及び制御方法は、デュアルモード移動電話機におけるInactive-RAT測定を間欠に実行させながら、３ＧＰＰでの規定している一定時間内での測定を保証できる方法として有用である。なお、Inactive-RAT測定を適切な時間間隔で行うことで、消費電力の低減も期待できる。
【図面の簡単な説明】
【００５０】
【図１】本発明の本実施の形態に係る通信端末装置の構成を示すブロック図
【図２】上記実施の形態に係る通信端末装置のメッセージ送信制御シーケンスを示す図
【図３】上記実施の形態に係る通信端末装置のメッセージの情報構成を示す図
【図４】従来の受信装置の構成図
【符号の説明】
【００５１】
１００  デュアルモード移動電話機
１１０Ａ  通信手順制御部
１１０  Dual-Protocol Stackソフトウェア
１２０，１３０  ＬＬ１ソフトウェア
１２０Ａ  ＵＭＴＳ無線通信部
１２１  作成手段
１２２  メッセージ送信手段
１３０Ａ  ＧＳＭ無線通信部
１３１  メッセージ受信手段
１３２  管理手段
１３３  制御手段
１４０  Ｌ１ソフトウェア
１４０Ａ  ハードウェア制御部
【図１】
2006319510.tif 000003
【図２】
2006319510.tif 000004
【図３】
2006319510.tif 000005
【図４】
2006319510.tif 000006